(57)【要約】  【課題】電子ペーパ等の書き換え可能な表示媒体に表示されている情報を編集する際における操作性を向上させる。  【解決手段】情報編集プログラム６は、移動端末装置１０上で動作する。情報編集プログラム６は、撮影される符号画像から媒体ＩＤ及び情報ＩＤを取得し、当該表示媒体及び情報のいずれかに対する操作を受け付ける。情報編集プログラム６は、生成コマンド列画面１０６及び変更画面１１４を表示装置２２に表示し、入力装置２４を介して入力される変更内容を受け付ける。これらの画面には、媒体ＩＤ及び情報ＩＤを含む命令が表示される。情報編集プログラム６は、編集された命令を表示書込装置１２に対して送信する。【選択図】図３
2008186346.tif 000002
【特許請求の範囲】
【請求項１】
書き換え可能な表示媒体を識別する第１の識別子及び情報を識別する第２の識別子を取得する識別子取得手段と、
前記識別子取得手段により取得される第１の識別子及び第２の識別子のいずれかと当該識別子に対応する対象に対する操作とを含む命令を編集する命令編集手段と、
前記命令編集手段により編集される命令を送信する命令送信手段と
前記識別子取得手段、命令編集手段および命令送信手段を内蔵し、利用者の把持により持ち運ばれる外形を有する筐体と、
を有する端末装置。
【請求項２】
前記識別子取得手段は、第１の識別子及び第２の識別子が符号化されている符号画像から当該識別子を取得する
請求項１に記載の端末装置。
【請求項３】
符号画像を読み取る符号画像読取手段をさらに有する
請求項２に記載の端末装置。
【請求項４】
前記命令編集手段は、複数の操作から選択される操作を命令に含める
請求項１乃至３のいずれかに記載の端末装置。
【請求項５】
請求項１記載の端末装置より、書き換え可能な表示媒体を識別する第１の識別子及び情報を識別する第２の識別子のいずれかと当該識別子に対する操作とを含む命令を受信する命令受信手段と、
前記命令受信手段により受信される命令に基づいて画像を生成する画像生成手段と、
前記画像生成手段により生成される画像を表示媒体へ書き込む画像書込み手段と
を有する画像変換装置。
【請求項６】
前記画像生成手段は、前記命令受信手段により受信される命令に含まれる第２の識別子により識別される情報と当該識別子に対応する対象に対する操作とに基づいて画像を生成する
請求項５に記載の画像変換装置。
【請求項７】
前記画像書込み手段は、前記命令受信手段により受信される命令に含まれる第１の識別子により識別される表示媒体と当該識別子に対する操作に基づいて当該表示媒体に画像を書き込む
請求項５又は６に記載の画像変換装置。
【請求項８】
書き換え可能な表示媒体を識別する第１の識別子及び情報を識別する第２の識別子を取得する識別子取得手段と、
前記識別子取得手段により取得される第１の識別子及び第２の識別子のいずれかと当該識別子に対応する対象に対する操作とを含む命令を編集する命令編集手段と、
前記命令編集手段により編集される命令を送信する命令送信手段と、
前記識別子取得手段、命令編集手段および命令送信手段を内蔵し、利用者に把持により持ち運ばれる外形を有する筐体と
を有する端末装置と、
前記端末装置から送信される命令を受信する命令受信手段と、
前記命令受信手段により受信される命令に基づいて画像を生成する画像生成手段と、
前記画像生成手段により生成される画像を表示媒体に書き込む画像書込み手段と
を有する画像変換装置と
を有する情報編集システム。
【請求項９】
コンピュータを含む端末装置において、
書き換え可能な表示媒体を識別する第１の識別子及び情報を識別する第２の識別子を取得する識別子取得ステップと、
前記取得される第１の識別子及び第２の識別子のいずれかと当該識別子に対応する対象に対する操作とを含む命令を編集する命令編集ステップと、
前記編集される命令を送信する命令送信ステップと
を前記端末装置のコンピュータに実行させるプログラム。
【請求項１０】
コンピュータを含む画像変換装置において、
請求項１記載の端末装置より、書き換え可能な表示媒体を識別する第１の識別子及び情報を識別する第２の識別子のいずれかと当該識別子に対する操作とを含む命令を受信する命令受信ステップと、
前記受信される命令に基づいて画像を生成する画像生成ステップと、
前記生成される画像の表示媒体への書き込みを制御する書込み制御ステップと
を前記画像変換装置のコンピュータに実行させるプログラム。
【発明の詳細な説明】
【技術分野】
【０００１】
本発明は、端末装置、画像変換装置、情報編集システム及びプログラムに関する。
【背景技術】
【０００２】
電子ペーパは、表示内容が書き換え可能である表示媒体である。
特許文献１では、情報の複製と配布を簡便に管理できる情報配信システムとしての電子ペーパシステムが開示されている。
特許文献２では、電子ペーパを複数枚束ねて操作するといった簡単な方法により、電子ペーパ間でのドキュメントの複写や統合等を行う電子ペーパシステムが開示されている。
特許文献３では、ドキュメント電子データを用紙や電子ペーパに表示保持させた一覧性の高い状態として、纏め編集のための煩雑なコンピュータ操作を行わずに、新たなドキュメントに纏め編集することができるドキュメント編集システムが開示されている。
【０００３】
【特許文献１】特開２００６−５９１３８号公報
【特許文献２】特開２００５−２６７１７３号公報
【特許文献３】特開２００５−２６９１３６号公報
【発明の開示】
【発明が解決しようとする課題】
【０００４】
本発明は、電子ペーパ等の書き換え可能な表示媒体に表示されている情報を編集する際における操作性を向上させることを目的とする。
【課題を解決するための手段】
【０００５】
請求項１に係る端末装置は、書き換え可能な表示媒体を識別する第１の識別子及び情報を識別する第２の識別子を取得する識別子取得手段と、前記識別子取得手段により取得される第１の識別子及び第２の識別子のいずれかと当該識別子に対応する対象に対する操作とを含む命令を編集する命令編集手段と、前記命令編集手段により編集される命令を送信する命令送信手段と前記識別子取得手段、命令編集手段および命令送信手段を内蔵し、利用者の把持により持ち運ばれる外形を有する筐体と、を有する。
【０００６】
請求項２に係る端末装置においては、前記識別子取得手段は、第１の識別子及び第２の識別子が符号化されている符号画像から当該識別子を取得する。
【０００７】
請求項３に係る端末装置は、符号画像を読み取る符号画像読取手段をさらに有する。
【０００８】
請求項４に係る端末装置においては、前記命令編集手段は、複数の操作から選択される操作を命令に含める。
【０００９】
請求項５に係る画像変換装置は、請求項１記載の端末装置より、書き換え可能な表示媒体を識別する第１の識別子及び情報を識別する第２の識別子のいずれかと当該識別子に対する操作とを含む命令を受信する命令受信手段と、前記命令受信手段により受信される命令に基づいて画像を生成する画像生成手段と、前記画像生成手段により生成される画像を表示媒体へ書き込む画像書込み手段とを有する。
【００１０】
請求項６に係る画像変換装置においては、前記画像生成手段は、前記命令受信手段により受信される命令に含まれる第２の識別子により識別される情報と当該識別子に対応する対象に対する操作とに基づいて画像を生成する。
【００１１】
請求項７に係る画像変換装置においては、前記画像書込み手段は、前記命令受信手段により受信される命令に含まれる第１の識別子により識別される表示媒体と当該識別子に対する操作に基づいて当該表示媒体に画像を書き込む。
【００１２】
請求項８に係る情報編集システムは、書き換え可能な表示媒体を識別する第１の識別子及び情報を識別する第２の識別子を取得する識別子取得手段と、前記識別子取得手段により取得される第１の識別子及び第２の識別子のいずれかと当該識別子に対応する対象に対する操作とを含む命令を編集する命令編集手段と、前記命令編集手段により編集される命令を送信する命令送信手段と、前記識別子取得手段、命令編集手段および命令送信手段を内蔵し、利用者に把持により持ち運ばれる外形を有する筐体とを有する端末装置と、前記端末装置から送信される命令を受信する命令受信手段と、前記命令受信手段により受信される命令に基づいて画像を生成する画像生成手段と、前記画像生成手段により生成される画像を表示媒体に書き込む画像書込み手段とを有する画像変換装置とを有する。
【００１３】
請求項９に係るプログラムは、コンピュータを含む端末装置において、書き換え可能な表示媒体を識別する第１の識別子及び情報を識別する第２の識別子を取得する識別子取得ステップと、前記取得される第１の識別子及び第２の識別子のいずれかと当該識別子に対応する対象に対する操作とを含む命令を編集する命令編集ステップと、前記編集される命令を送信する命令送信ステップとを前記端末装置のコンピュータに実行させる。
【００１４】
請求項１０に係るプログラムは、コンピュータを含む画像変換装置において、請求項１記載の端末装置より、書き換え可能な表示媒体を識別する第１の識別子及び情報を識別する第２の識別子のいずれかと当該識別子に対する操作とを含む命令を受信する命令受信ステップと、前記受信される命令に基づいて画像を生成する画像生成ステップと、前記生成される画像の表示媒体への書き込みを制御する書込み制御ステップとを前記画像変換装置のコンピュータに実行させる。
【発明の効果】
【００１５】
請求項１に係る本発明によれば、電子ペーパ等の書き換え可能な表示媒体に表示されている情報を編集する際における操作性を向上することができる。
【００１６】
請求項２に係る本発明によれば、請求項１に係る本発明の効果に加えて、作業者が意図していない情報が指定されることを防止することができる。
【００１７】
請求項３に係る本発明によれば、請求項２に係る本発明の効果に加えて、本構成を有していない場合に比較して、編集の対象となる情報を簡便に選択することができる。
【００１８】
請求項４に係る本発明によれば、請求項１乃至３に係る本発明の効果に加えて、本構成を有していない場合に比較して、情報の編集内容を簡便に指定することができる。
【００１９】
請求項５に係る本発明によれば、本構成を有していない場合に比較して、電子ペーパ等の書き換え可能な表示媒体間で情報の編集を行う際に、表示媒体の自由度を高めることができる。
【００２０】
請求項６に係る本発明によれば、請求項５に係る本発明の効果に加えて、作業者が意図していない情報を書き込むことを防止することができる。
【００２１】
請求項７に係る本発明によれば、請求項５又は６に係る本発明の効果に加えて、作業者が意図していない表示媒体の情報が書き換えられることを防止することができる。
【００２２】
請求項８に係る本発明によれば、電子ペーパ等の書き換え可能な表示媒体間で情報の編集を行う際に、表示媒体の自由度を高めることができる。
【００２３】
請求項９に係る本発明によれば、電子ペーパ等の書き換え可能な表示媒体に表示されている情報を対象とした操作を行うことにより、情報を編集することができる。
【００２４】
請求項１０に係る本発明によれば、電子ペーパ等の書き換え可能な表示媒体間で情報の編集を行う際に、表示媒体の自由度を高めることができる。
【発明を実施するための最良の形態】
【００２５】
図１〜図４を参照して、本発明に係る情報編集システムの概要を説明する。
図１は、本発明に係る情報編集システムにおいて実行される情報の編集を説明する図であって、図１（Ａ）は、情報が編集される前の表示媒体１００−１〜１００−３を例示し、図１（Ｂ）は、情報が編集された後の表示媒体１００−１〜１００−３を例示する。
図１（Ａ）に示すように、表示媒体１００−１〜１００−３は、書き換え可能な電子ペーパである。表示媒体１００−１には、情報１に関する画像１０２−１が表示されている。画像１０２−１には、例えば、ＱＲコード等の２次元コード、バーコード等の符号画像１０４−１が含まれている。同様に、表示媒体１００−２，１００−３にはそれぞれ、情報２に関する画像１０２−２、情報３に関する画像１０２−３が表示されており、画像１０２−２、１０２−３にはそれぞれ符号画像１０４−２、１０４−３が含まれている。
【００２６】
電子ペーパとは、画像を表示保持する領域としての表示部の内部に画像を構成する表示材料を含有し、この表示材料に書込外力（電気、磁気、熱、所定ＰＨの液体といった化学的作用等）を作用させることで、液晶、着色粒子や発光素子といった表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【００２７】
なお、電子ペーパと称せられる表示媒体は、通常、表示部と一体化された記憶手段を有しており、媒体の識別コード等といった電子情報を記憶手段に外部から読取り可能に保持し、電子情報を画像の書込制御等に用いることができるようになっている。
また、このような表示記録媒体は、繰り返し書き込み使用が可能な紙のような表示媒体としての利用を想定しているため、通常、媒体単独での表示書換機能を備えず、書換対象となる表示記録媒体の交換が可能な書き込み装置に表示記録媒体をセットすることにより、画像の書き込みが行われ、そして、画像が書き込まれた表示媒体は書き込み装置から外されて書込形成した画像の閲覧に用いられる。
【００２８】
図１（Ｂ）に示すように、本例では、表示媒体１００−３の情報が、表示媒体１００−１及び表示媒体１００−２に表示されている情報に基づいて編集されている。より具体的には、表示媒体１００−１に表示されている情報１及び表示媒体１００−２に表示されている情報２がコピーされ、情報１に関する縮小画像１０２−４及び情報２に関する縮小画像１０２−５が表示媒体１００−３に貼り付けられるように、表示媒体１００−３の画像が書き換えられている。ここで、縮小画像１０２−４，１０２−５にはそれぞれ、符号画像１０４−４，１０４−５が含まれている。
【００２９】
情報の編集は、符号画像１０４−１〜１０４−３を用いて行われる。具体的には、符号画像１０４−１〜１０４−３が読み取られて、編集の作業が行われる。なお、符号画像は、例えば英数字からなる文字列であってもよい。また、以降、表示媒体１００−１〜１００−３など、複数ある要素のいずれかを特定せずに示すときには、単に表示媒体１００などと略記することがある。
【００３０】
本発明に係る情報編集システムにおける情報の編集の具体的な流れを説明する。
図２は、本発明に係る移動端末装置１０による媒体識別子（媒体ＩＤ）及び情報識別子（情報ＩＤ）の取得方法を説明する図である。
図２（Ａ）に示すように、作業者は、まず、携帯電話等の移動端末装置１０の筐体を把持し、これを対象となる表示媒体の付近に持ち運ぶ。そして移動端末装置１０のカメラを用いて、表示媒体１００−１に表示されている符号画像１０４−１を読み取る。符号画像１０４には、表示媒体を一意に識別する媒体ＩＤ及び情報を一意に識別する情報ＩＤが符号化されて含まれている。移動端末装置１０は、読み取られた符号画像１０４−１に対して符号変換処理を施して、媒体ＩＤ及び情報ＩＤを取得する。本例では、媒体ＩＤは「ｍｅｄｉａＡ」であり、情報ＩＤは「ｅｌｅｍｅｎｔ１」である。
【００３１】
媒体ＩＤと情報ＩＤが取得されると、作業者は、図示しない操作選択画面の編集メニューにおいて、この表示媒体１００−１及び情報１のいずれかに対する操作を選択する。移動端末装置１０は、作業者により選択される操作を、媒体ＩＤ及び情報ＩＤのいずれかに対応づけて命令を生成する。したがって、命令は、媒体ＩＤ及び情報ＩＤのいずれかと、これらの識別子に対応する対象に対する操作とを含む。なお、命令は、コマンドとも呼ばれる。
【００３２】
例えば、操作は、切り取り（ｃｕｔ）、コピー（ｃｏｐｙ）、貼り付け（ｐａｓｔｅ）等から選択される。ここで、コピーは、例えば、情報ＩＤ及び媒体ＩＤのいずれかを一時的に記憶するための操作である。また、貼り付けは、例えば、コピー及び切り取りのいずれかの操作により記憶されている対象を、表示媒体１００に貼り付けるための操作である。本例では、作業者は、「コピー」を選択している。
【００３３】
同様にして、図２（Ｂ）に示すように、作業者は、表示媒体１００−２に表示されている符号画像１０４−２を読み取り、操作を選択する。本例では、媒体ＩＤは「ｍｅｄｉａＢ」であり、情報ＩＤは「ｅｌｅｍｅｎｔ２」であることが取得され、操作として「コピー」が選択されている。
【００３４】
さらに、図２（Ｃ）に示すように、作業者は、表示媒体１００−３に表示されている符号画像１０４−３を読み取り、操作を選択する。本例では、媒体ＩＤは「ｍｅｄｉａＣ」であり、情報ＩＤは「ｅｌｅｍｅｎｔ３」であることが取得され、操作として「貼り付け」が選択されている。
【００３５】
図３は、命令を編集するための画面を例示する図であって、図３（Ａ）は、生成コマンド列画面１０６を例示し、図３（Ｂ）は、変更画面１１４を例示する。
図３（Ａ）に例示するように、生成コマンド列画面１０６は、命令表示部１０８、コマンド送信選択部１１０及び変更選択部１１２を含む。命令表示部１０８は、１以上の命令を表示する画面である。本例では、図２において生成された命令列が表示されている。１以上の命令の集合は、命令列、コマンド列とも呼ばれる。
【００３６】
コマンド送信選択部１１０は、命令表示部１０８に表示されている１以上の命令を、後述する表示書込装置に対して送信するための選択手段である。コマンド送信選択部１１０は、例えば、ボタン、リンク等により実現される。変更選択部１１２は、命令表示部１０８に表示されている命令を変更するための選択手段である。変更選択部１１２は、コマンド送信選択部１１０と同様にして実現される。なお、以降の選択手段も、同様にして実現される。
【００３７】
変更選択部１１２が選択されると、生成コマンド列画面１０６は、変更画面１１４に遷移する。図３（Ｂ）に例示するように、変更画面１１４は、命令変更部１１６−１〜１１６−３、変更実行部１１８及び画面復帰部１２０を含む。命令変更部１１６−１〜１１６−３は、生成コマンド列画面１０６の命令表示部１０８に表示される命令を変更するための選択手段である。
【００３８】
変更の対象は、選択された操作によって異なる。例えば、操作がコピーである場合、変更の対象は、媒体ＩＤ及び情報ＩＤである。また、操作が貼り付けである場合、変更の対象は媒体ＩＤである。本例では、命令変更部１１６−１，１１６−２において、コピーの対象は、情報ＩＤ及び媒体ＩＤのいずれかに変更され、命令変更部１１６−３において、貼り付けの対象は、読み取られた複数の媒体ＩＤのいずれかに変更される。
【００３９】
変更実行部１１８は、命令変更部１１６−１〜１１６−３において変更される内容に基づいて、命令の変更を実行するための選択手段である。変更実行部１１８が選択されると、命令の変更が実行される。画面復帰部１２０は、生成コマンド列画面１０６に戻るための選択手段である。画面復帰部１２０が選択されると、変更画面１１４は、生成コマンド列画面１０６に遷移する。
【００４０】
このようにして、移動端末装置１０は、命令を編集するための画面を作業者に対して提供する。なお、生成コマンド列画面１０６及び変更画面１１４の表示内容、構成等は、本例に限定されず、どのような画面構成であってもよい。
【００４１】
図４は、表示媒体１００の表示内容が、送信される命令に基づいて変更される様子を説明する図である。
図４に示すように、表示書込装置１２は、移動端末装置１０から送信される命令を受信すると、この命令に基づいて、表示媒体１００の表示内容を変更する。
【００４２】
具体的には、表示書込装置１２は、送信される命令に基づいて、後述する情報サーバ１４から情報を取得し、画像を生成する。作業者は、表示媒体１００−１〜１００−３を表示書込装置１２に、順不同で装着する。表示書込装置１２は、装着される表示媒体１００の符号画像１０４から媒体ＩＤを取得し、貼り付け操作の対象である表示媒体（本例では、表示媒体１００−３）に、生成した画像を書き込む。書込み動作後、表示書込装置１２は、表示媒体１００を排出する。
【００４３】
次に、本発明の実施形態に係る情報編集システム１を説明する。
図５は、本発明の実施形態に係る情報編集システム１の構成を示す図である。
図５に示すように、情報編集システム１は、移動端末装置１０、表示書込装置１２及び情報サーバ１４を含む。これらの構成要素は、ＬＡＮ（Local Area Network）、ＷＡＮ（Wide Area Network）などのネットワーク１６を介して接続されており、互いにデータの送信及び受信を行う。なお、ネットワーク１６は、有線のネットワークでもよいし、無線のネットワークでもよいし、これらが混在するものでもよい。
【００４４】
移動端末装置１０は、表示媒体１００から媒体ＩＤ及び情報ＩＤを取得し、これらの識別子と当該識別子に対する操作とを含む命令を編集し、当該命令を表示書込装置１２に対して送信する。ここで、移動端末装置１０は、命令を編集するための画面を表示し、作業者は、この画面を介して入力を行う。
【００４５】
情報サーバ１４は、情報のデータを記憶し、表示書込装置１２、移動端末装置１０等の外部のコンピュータから送信される要求に応じて、情報のデータを送信する。より具体的には、情報サーバ１４は、情報ＩＤと、情報ＩＤにより識別される情報のデータとを対応づけて記憶している。情報サーバ１４は、要求を受信すると、要求に含まれている情報ＩＤを参照し、この情報ＩＤにより識別される情報のデータを、要求元のコンピュータに対して送信する。
【００４６】
表示書込装置１２は、移動端末装置１０から送信される命令を受信し、この命令に基づいて情報サーバ１４から情報のデータを取得して画像を生成し、この画像を表示媒体１００へ書き込む。なお、表示書込装置１２の方式は特に限定されず、表示書込装置１２は、いわゆる光書込み型であってもよいし、電子書込み型であってもよいし、その他の書込み方式のものであってもよい。
【００４７】
図６は、本発明の実施形態に係る移動端末装置１０のハードウェア構成を示す図である。
図６に示すように、移動端末装置１０は、ＣＰＵ１８、メモリ２０、例えば液晶ディスプレイ等の表示装置２２、例えば入力ボタン又はキーボードなどの入力装置２４、ネットワーク１６を介して外部のコンピュータとデータの送信及び受信を行う通信装置２６、及びカメラ２８を有する。これらの構成要素は、システムバス３０を介して互いに接続されており、互いにデータの出力及び入力を行う。移動端末装置１０は、例えば、後述する情報編集プログラム４がインストールされた携帯電話、携帯情報端末（ＰＤＡ；Personal Digital Assistants）等である。
【００４８】
カメラ２８は、対象物を撮影し、画像データをＣＰＵ１８に対して出力する。したがって、カメラ２８は、符号画像を読み取る符号画像読取手段を構成する。
【００４９】
図７は、本発明の実施形態に係る移動端末装置１０において動作する情報編集プログラム４の機能構成を示す図である。
図７に示すように、情報編集プログラム４は、識別子取得部４０、コマンド生成部４２、コマンド記憶部４４、コマンド変換部４６及びコマンド送信部４８を有する。情報編集プログラム４は、メモリ２０にロードされて、ＣＰＵ１８で動作するＯＳ上で、ハードウェアを具体的に利用して実行される。なお、情報編集プログラム４の全部又は一部の機能は、移動端末装置１０に設けられたハードウェアにより実現されてもよい。
【００５０】
情報編集プログラム４において、コマンド記憶部４４は、コマンド生成部４２により生成される命令、及びコマンド変換部４６により変換された後の命令を記憶する。コマンド記憶部４４は、メモリ２０により実現される。
【００５１】
識別子取得部４０は、カメラ２８により撮影される画像データを受け付け、この画像の少なくとも一部に含まれる符号画像を復号化し、この符号画像に含まれている媒体ＩＤ及び情報ＩＤを取得して、コマンド生成部４２に対して出力する。ここで、媒体ＩＤは、書き換え可能な表示媒体１００を識別する第１の識別子であり、情報ＩＤは、情報を識別する第２の識別子である。
【００５２】
媒体とその表示情報を特定する方式として、一般には表示媒体に内蔵された無線タグ（RFID）を用いることも可能であるが、複数の表示媒体を対象に編集を行う場合には、無線通信であると積層された場合のように複数の表示媒体が近接して配置されたときに、いずれの媒体を利用者が指定しようとしているのか判別困難となってしまう。そこで、複数の表示媒体を指定した編集操作を行う場合には、光学的に符号画像を読み取らせて指定することで、近接する媒体から送信される電波の干渉による媒体の誤指定が防止できる。
【００５３】
なお、カメラの撮像を表示するディスプレイを携帯端末装置に一体に設ける場合には、対象となる表示媒体の指定が画像により確認できることから確実になる。また、複数の媒体の識別画像を同時に撮像し、これらそれぞれから媒体ＩＤと情報ＩＤを読み取る構成とすれば、複数の表示媒体の指定も簡便にすることも可能となる。このように携帯端末を用いて編集操作の対象となる表示媒体を指定することから、直感的に操作できるようになる。
【００５４】
コマンド生成部４２は、識別子取得部４０から出力される媒体ＩＤ及び情報ＩＤを受け付け、図示しない操作選択画面を表示装置２２に表示し、入力装置２４を介して入力される当該表示媒体及び情報のいずれかに対する操作を受け付ける。ここで、操作は、例えば、コピー、切り取り、貼り付け等の複数の操作から選択される。したがって、コマンド生成部４２は、複数の操作から選択される操作を命令に含める。コマンド生成部４２は、媒体ＩＤ及び情報ＩＤのいずれかと当該操作とを含む命令を生成して、コマンド記憶部４４に格納する。
【００５５】
コマンド変換部４６は、コマンド記憶部４４に記憶されている命令を読み出し、生成コマンド列画面１０６（図３（Ａ））及び変更画面１１４（図３（Ｂ））を表示装置２２に表示し、入力装置２４を介して入力される変更内容を受け付ける。変更画面１１４において変更実行部１１８が選択された場合、コマンド変換部４６は、受け付けた変更内容に基づいて命令を更新し、更新後の命令をコマンド記憶部４４に格納する。生成コマンド列画面１０６においてコマンド送信選択部１１０が選択された場合、コマンド変換部４６は、その旨をコマンド送信部４８に対して出力する。
【００５６】
このように、コマンド生成部４２及びコマンド変換部４６は、識別子取得部４０により取得される媒体ＩＤ及び情報ＩＤのいずれかと当該識別子に対応する対象に対する操作とを含む命令を編集する命令編集手段を構成する。
【００５７】
コマンド送信部４８は、コマンド変換部４６からの出力を受け付けると、コマンド記憶部４４に記憶されている命令を読み出して、通信装置２６を介して表示書込装置１２に対して送信する。具体的には、コマンド送信部４８は、記憶されている命令を、表示書込１２装置のインターフェイスに対応するデータに変換し、変換後のデータを所定の通信手順に基づいて送信する。
【００５８】
図８は、情報編集プログラム４による情報編集処理（Ｓ１０）のフローチャートを示す図である。
図８に示すように、ステップ１００（Ｓ１００）において、情報編集プログラム４の識別子取得部４０は、画像データを受け付け、符号画像を取得する。
ステップ１０２（Ｓ１０２）において、識別子取得部４０は、この符号画像から媒体ＩＤ及び情報ＩＤを取得する。
【００５９】
ステップ１０４（Ｓ１０４）において、コマンド生成部４２は、入力装置２４を介して入力される当該表示媒体及び情報のいずれかに対する操作を受け付け、命令を生成し、この命令をコマンド記憶部４４に格納する。
ステップ１０６（Ｓ１０６）において、コマンド生成部４２は、全ての表示媒体について符号画像の取得処理及びコマンドの生成処理が終了したか否かを判断する。情報編集プログラム４は、全ての表示媒体１００に対する処理が終了した場合にはＳ１０８の処理に進み、そうでない場合にはＳ１００の処理に戻り、次の表示媒体１００に対する処理を行う。
【００６０】
ステップ１０８（Ｓ１０８）において、コマンド変換部４６は、生成コマンド列画面１０６及び変更画面１１４を介する入力に基づいて、コマンド記憶部４４に記憶されている命令を変更する。このようにして、命令の編集が実行される。
【００６１】
ステップ１１０（Ｓ１１０）において、コマンド変換部４６は、生成コマンド列画面１０６のコマンド送信選択部１１０が選択され、命令の編集が終了したか否かを判断する。情報編集プログラム４は、命令の変更が終了した場合にはＳ１１２の処理に進み、そうでない場合にはＳ１０８の処理に戻る。
【００６２】
ステップ１１２（Ｓ１１２）において、コマンド送信部４８は、コマンド記憶部４４に記憶されている命令を読み出して、表示書込装置１２に対して送信する。このようにして、命令は、ネットワーク１６を介して移動端末装置１０から表示書込装置１２に対して送信される。
【００６３】
図９は、情報サーバ１４に記憶されている情報データベース（ＤＢ）５０を示す図である。
図９に示すように、情報ＤＢ５０は、情報ＩＤとこの情報ＩＤにより一意に識別される情報データとを対応づけて記憶している。情報サーバ１４は、図６に示されるハードウェア構成と同等の構成を有し、情報ＤＢ５０は、このようなハードウェアを具体的に利用するソフトウェアにより実現される。情報サーバ１４は、表示書込装置１２等のコンピュータから送信される要求を受信すると、要求に含まれている情報ＩＤを参照し、この情報ＩＤにより識別される情報のデータを、要求の送信元に対して送信する。
【００６４】
図１０は、本発明の実施形態に係る表示書込装置１２のハードウェア構成を示す図である。なお、図１０に示された各構成のうち、図６に示された構成と実質的に同一のものには同一の符号が付されている。
図１０に示すように、表示書込装置１２は、ＣＰＵ１８、メモリ２０、表示装置２２、通信装置２６、符号画像を読み取る例えばスキャナ等の読取装置３２及び表示媒体１００に画像を書き込む書込装置３４を有する。表示書込装置１２は、このような構成により、表示媒体１００に表示されている画像を変換する画像変換装置として機能する。
【００６５】
図１１は、本発明の実施形態に係る表示書込装置１２において動作する表示画像変更プログラム６の機能構成を示す図である。
図１１に示すように、表示画像変更プログラム６は、コマンド受信部６０、コマンド解析部６２、画像取得部６４、画像生成部６６、画像記憶部６８、書込制御部７０及び識別子取得部７２を有する。表示画像変更プログラム６は、メモリ２０にロードされて、ＣＰＵ１８で動作するＯＳ上で、ハードウェアを具体的に利用して実行される。なお、表示画像変更プログラム６の全部又は一部の機能は、表示書込装置１２に設けられたハードウェアにより実現されてもよい。
【００６６】
表示画像変更プログラム６において、コマンド受信部６０は、移動端末装置１０からネットワーク１６を介して送信される命令を、通信装置２６を介して受信して、コマンド解析部６２に対して出力する。
【００６７】
コマンド解析部６２は、コマンド受信部６０から出力される命令を受け付け、この命令を解析する。具体的には、コマンド解析部６２は、それぞれの命令における操作と、この操作の対象である媒体及び情報とを認識する。
【００６８】
画像取得部６４は、コマンド解析部６２による解析結果に基づいて、画像の生成に必要となる画像を取得する。より具体的には、画像取得部６４は、情報ＩＤにより識別される情報のデータを情報サーバ１４に対して要求し、当該データを情報サーバ１４から受信して画像記憶部６８に格納する。例えば、画像取得部６４は、操作がコピーである命令について、この操作の対象である情報ＩＤにより識別される情報のデータを取得する。
【００６９】
画像記憶部６８は、画像取得部６４により取得される情報のデータ、及び画像生成部６６により生成される画像のデータを記憶する。画像記憶部６８は、メモリ２０及び図示しないハードディスクドライブなどの記憶装置の少なくともいずれかにより実現される。
【００７０】
画像生成部６６は、コマンド受信部６０により受信される命令に基づいて画像を生成する。具体的には、画像生成部６６は、命令に含まれる情報ＩＤと当該識別子に対する操作とに基づいて、画像記憶部６８に記憶されている情報のデータを読み出して画像を生成し、生成した画像を画像記憶部６８に格納する。例えば、画像生成部６６は、命令における操作が貼り付けである場合、画像記憶部６８に記憶されている情報であって操作がコピー及び貼り付けのいずれかである１以上の情報のデータを読み出し、これらの情報が割り付けられた１つの画像を生成する。 
【００７１】
識別子取得部７２は、読取装置３２により読み取られる画像データを受け付け、この画像の少なくとも一部に含まれる符号画像を復号化し、この符号画像に含まれている媒体ＩＤを取得して、書込制御部７０に対して出力する。
【００７２】
書込制御部７０は、画像生成部６６により生成され、画像記憶部６８に記憶されている画像の表示媒体１００への書き込みを制御する。具体的には、書込制御部７０は、命令に含まれる媒体ＩＤにより識別される表示媒体１００と当該識別子に対する操作に基づいて当該表示媒体１００に画像を書き込む。より具体的には、書込制御部７０は、識別子取得部７２から出力される媒体ＩＤを受け付け、操作が貼り付けである命令に含まれる媒体ＩＤにより識別される表示媒体１００に画像を書き込むように、書込装置３４を制御する。したがって、書込装置３４は、書込制御部７０の制御により、画像生成部６６により生成される画像を表示媒体へ書き込む。
【００７３】
図１２は、表示画像変更プログラム６による表示画像変更処理（Ｓ２０）のフローチャートを示す図である。
図１２に示すように、ステップ２００（Ｓ２００）において、表示画像変更プログラム６のコマンド受信部６０は、移動端末装置１０から送信される命令を受信する。
ステップ２０２（Ｓ２０２）において、コマンド解析部６２は、受信された命令を解析する。
【００７４】
ステップ２０４（Ｓ２０４）において、画像取得部６４は、操作がコピーである命令に含まれる情報ＩＤにより識別される情報のデータを情報サーバ１４から取得し、この情報のデータを画像記憶部６８に格納する。
ステップ２０６（Ｓ２０６）において、画像生成部６６は、画像取得部６４により取得され、画像記憶部６８に記憶されている情報のデータを読み出し、これらの情報が割り付けられた画像を生成し、この画像のデータを画像記憶部６８に格納する。
【００７５】
ステップ２０８（Ｓ２０８）において、画像生成部６６は、画像の生成を終了した旨の通知を行う。例えば、画像生成部６６は、液晶ディスプレイ等の表示装置２２、図示しないＬＥＤ（Light Emitting Diode）等にその旨を表示する。
【００７６】
ステップ２１０（Ｓ２１０）において、書込制御部７０は、表示書込装置１２に表示媒体１００が装着されたか否かを判断する。表示画像変更プログラム６は、表示媒体１００が装着された場合にはＳ２１２の処理に進み、そうでない場合にはＳ２１０の処理に戻る。
【００７７】
ステップ２１２（Ｓ２１２）において、読取装置３２は、装着された表示媒体１００の画像の少なくとも一部であって符号画像１０４を含む領域の画像を読み取り、読取画像データを出力する。
ステップ２１４（Ｓ２１４）において、表示画像変更プログラム６の識別子取得部７２は、読取画像データを受け付け、このデータから媒体ＩＤを取得する。
【００７８】
ステップ２１６（Ｓ２１６）において、書込制御部７０は、操作が貼り付けである命令に含まれる媒体ＩＤにより識別される表示媒体１００に、画像生成部６６により生成されて画像記憶部６８に記憶されている画像を書き込むように書込装置３４を制御する。書込装置３４は、当該画像を当該媒体ＩＤにより識別される表示媒体へ書き込む。
【００７９】
なお、情報ＤＢ５０は、表示書込装置１２に含まれてもよい。この場合、表示書込装置１２は、当該表示書込装置１２の記憶装置等に記憶されている情報ＤＢ５０から情報のデータを読み出して、情報ＩＤにより識別される情報のデータを取得する。また、情報ＤＢ５０は、移動端末装置１０に含まれてもよい。この場合、移動端末装置１０は、命令とともに、命令に含まれる情報ＩＤにより識別される情報のデータを表示書込装置１２に対して送信する。表示書込装置１２は、送信されるデータから、情報ＩＤにより識別される情報のデータを取得する。
【００８０】
また、媒体ＩＤ及び情報ＩＤが例えば英数字等の文字列である場合、作業者は、移動端末装置１０の入力装置２４を用いてこれらの識別子を入力してもよい。この場合、情報編集プログラム４の識別子取得部４０は、入力される媒体ＩＤ等を受け付けて、媒体ＩＤ等を取得する。
【００８１】
表示書込装置１２は、生成した画像を表示装置２２に表示してもよい。また、表示書込装置１２は、生成した画像のデータを、例えば外部のプロジェクタ、液晶ディスプレイ等の表示装置に対して送信してもよい。
【００８２】
次に、情報の編集の第２の実施例乃至第４の実施例を説明する。
図１３は、本発明に係る情報編集システムにおいて実行される情報の編集の第２の実施例乃至第４の実施例を説明する図である。なお、情報を編集される前の表示媒体１００−１〜１００−３は、図１（Ａ）と同一である。
【００８３】
図１３（Ａ）は、表示媒体１００−１に表示されている情報１及び表示媒体１００−２に表示されている情報２をコピーし、これらの縮小画像が割り付けられた画像を表示媒体１００−１，１００−２に貼り付けるための命令、及びこの命令に基づいて情報を編集された後の表示媒体１００−１〜１００−３を示す。この場合、作業者は、表示媒体１００−１の符号画像を撮影してコピー操作を選択し、表示媒体１００−２の符号画像を撮影してコピー操作を選択し、さらに、表示媒体１００−１の符号画像を撮影して貼り付け操作を選択し、表示媒体１００−２の符号画像を撮影してコピー操作を選択する。
【００８４】
図１３（Ｂ）は、表示媒体１００−１に表示されている情報１をコピーし、この情報の画像を表示媒体１００−２，１００−３に貼り付けるための命令、及びこの命令に基づいて情報を編集された後の表示媒体１００−１〜１００−３を示す。この場合、作業者は、表示媒体１００−１の符号画像を撮影してコピー操作を選択し、表示媒体１００−２の符号画像を撮影して貼り付け操作を選択し、さらに、表示媒体１００−３の符号画像を撮影して貼り付け操作を選択する。
【００８５】
図１３（Ｃ）は、表示媒体１００−１に表示されている情報１、表示媒体１００−２に表示されている情報２、及び表示媒体１００−１に表示されている情報３をコピーし、これらの縮小画像が割り付けられた画像を表示媒体１００−１〜１００−３に貼り付けるための命令、及びこの命令に基づいて情報を編集された後の表示媒体１００−１〜１００−３を示す。この場合、作業者は、表示媒体１００−１の符号画像を撮影してコピー操作を選択し、表示媒体１００−２の符号画像を撮影してコピー操作を選択し、表示媒体１００−３の符号画像を撮影してコピー操作を選択し、さらに、表示媒体１００−１の符号画像を撮影して貼り付け操作を選択し、表示媒体１００−２の符号画像を撮影して貼り付け操作を選択し、表示媒体１００−３の符号画像を撮影して貼り付け操作を選択する。
【００８６】
次に、表示媒体上の情報及び符号画像の配置における異なる実施例を説明する。
図１４は、表示媒体上の情報及び符号画像の複数の配置例を例示する図である。
図１４（Ａ）は、１つの情報を表示媒体に表示するための配置を例示する。
【００８７】
複数の情報が表示媒体に表示される場合、これらの情報は、表示媒体のいずれかの位置に割り付けられて表示される。複数の表示媒体の配置に関する設定は、予め決められてもよいし、その都度、作業者により設定されてもよい。作業者は、例えば移動端末装置１０を用いて、配置に関する設定を行ってもよい。この場合、移動端末装置１０は、配置に関する設定を表示書込装置１２に対して送信する。
【００８８】
図１４（Ｂ）〜図１４（Ｄ）は、３つの情報を表示媒体に表示するための配置を例示する。図１４（Ｂ）及び図１４（Ｃ）では、表示媒体を６分割した領域のいずれかに、３つの情報が表示されている。この場合、３つの情報は、同じ大きさで表示されている。図１４（Ｄ）では、３つの情報が、異なる大きさで、表示媒体のいずれかの位置に表示されている。
【００８９】
図１４（Ｅ）は、４つの情報を表示媒体に表示するための配置を例示する。図１４（Ｆ）は、６つの情報を表示媒体に表示するための配置を例示する。図１４（Ｅ）及び図１４（Ｆ）では、表示媒体を４分割又は６分割した領域のそれぞれに、情報が表示されている。本例では、複数の情報は、同じ大きさで表示されている。図１４（Ｇ）及び図１４（Ｈ）は、５つの情報を表示媒体に表示するための配置を例示する。なお、情報の配置方法は、あくまで例示であり、本例に限定されない。
【００９０】
符号画像は、情報がどのように配置されている場合においても読取可能である。したがって、媒体ＩＤ及び情報ＩＤは、１つの符号画像が１つの表示媒体に表示されている場合であっても、複数の符号画像が１つの表示媒体に表示されている場合であっても取得可能である。
【図面の簡単な説明】
【００９１】
【図１】本発明に係る情報編集システムにおいて実行される情報の編集を説明する図である。
【図２】本発明に係る移動端末装置１０による媒体識別子（媒体ＩＤ）及び情報識別子（情報ＩＤ）の取得方法を説明する図である。
【図３】命令を編集するための画面を例示する図であって、図３（Ａ）は、生成コマンド列画面１０６を例示し、図３（Ｂ）は、変更画面１１４を例示する。
【図４】表示媒体１００の表示内容が、送信される命令に基づいて変更される様子を説明する図である。
【図５】本発明の実施形態に係る情報編集システム１の構成を示す図である。
【図６】本発明の実施形態に係る移動端末装置１０のハードウェア構成を示す図である。
【図７】本発明の実施形態に係る移動端末装置１０において動作する情報編集プログラム４の機能構成を示す図である。
【図８】情報編集プログラム４による情報編集処理（Ｓ１０）のフローチャートを示す図である。
【図９】情報サーバ１４に記憶されている情報ＤＢ５０を示す図である。
【図１０】本発明の実施形態に係る表示書込装置１２のハードウェア構成を示す図である。
【図１１】本発明の実施形態に係る表示書込装置１２において動作する表示画像変更プログラム６の機能構成を示す図である。
【図１２】表示画像変更プログラム６による表示画像変更処理（Ｓ２０）のフローチャートを示す図である。
【図１３】本発明に係る情報編集システムにおいて実行される情報の編集の第２の実施例〜第４の実施例を説明する図である。
【図１４】表示媒体上の情報及び符号画像の複数の配置例を例示する図である。
【符号の説明】
【００９２】
１ 情報編集システム
４ 情報編集プログラム
６ 表示画像変更プログラム
１０ 移動端末装置
１２ 表示書込装置
１４ 情報サーバ
１６ ネットワーク
１８ ＣＰＵ
２０ メモリ
２２ 表示装置
２４ 入力装置
２６ 通信装置
２８ カメラ
３２ 読取装置
３４ 書込装置
４０ 識別子取得部
４２ コマンド生成部
４４ コマンド記憶部
４６ コマンド変換部
４８ コマンド送信部
５０ 情報ＤＢ
６０ コマンド受信部
６２ コマンド解析部
６４ 画像取得部
６６ 画像生成部
６８ 画像記憶部
７０ 書込制御部
７２ 識別子取得部
１０６ 生成コマンド列画面
１１４ 変更画面
【図１】
2008186346.tif 000003
【図２】
2008186346.tif 000004
【図３】
2008186346.tif 000005
【図４】
2008186346.tif 000006
【図５】
2008186346.tif 000007
【図６】
2008186346.tif 000008
【図７】
2008186346.tif 000009
【図８】
2008186346.tif 000010
【図９】
2008186346.tif 000011
【図１０】
2008186346.tif 000012
【図１１】
2008186346.tif 000013
【図１２】
2008186346.tif 000014
【図１３】
2008186346.tif 000015
【図１４】
2008186346.tif 000016